(57)【要約】【課題】  土嚢のように土壌の飛散、建造物等に対する加重負担、土嚢の腐敗破片による環境汚染、初期費用の高騰化、更には苗の生長の阻害や雑草が生えることのないような有用な育成用の苗床を提供する。【解決手段】  土壌を収納した透水性、通気性および耐候性を有する不織布からなり、表面に苗植え用の穴とその袋部の隣接する少なくとも２辺に設けられた防草性の布からなる鰭部とを有した袋状の苗床とする。閉塞手段としては、ゲル状物質又は苗の茎を取り巻き苗の成長に合わせて開口が広がるファスナーとするものである。また、苗床同士の連結手段として接着剤やファスナーを利用するものである。【選択図】図１
2013220095.tif 000002
【特許請求の範囲】
【請求項１】
土壌を収納する透水性、通気性および耐候性を有する不織布からなり、表面に苗植え用の穴を有したほぼ四角形状の袋部と、その袋部の隣接する少なくとも２辺に設けられた防草性の布からなる鰭部とを有したことを特徴とする苗床。
【請求項２】
前記苗植え用の穴には、ゲル状物質又はファスナーからなる閉塞手段を有していることを特徴とする前記請求項１記載の苗床。
【請求項３】
前記苗床は隣接する苗床と連結するための接着剤又はファスナーを前記鰭部を有する前記袋部端縁近傍に有していることを特徴とする前記請求項１記載の苗床。
【請求項４】
前記苗床の鰭部には除草成分を有する接着剤が塗布されていることを特徴とする前記請求項１記載の苗床。
【発明の詳細な説明】
【技術分野】
【０００１】  本発明は雑草に困らなく管理がしやすい苗床に関する。
【背景技術】
【０００２】  従来より、屋上緑化や法面緑化の技術が多く提案され実用化されており、なかでも土壌量を少なくしても樹木などが倒れないで根を張るための方法などが提案されている。近年、土壌を抗菌処理できて、しかも長期間土壌が散逸しない、透水性、通気性および耐候性を有する不織布で袋状の苗床を作り、その苗床に常緑系の植物を植設して屋上や壁面の緑化をすることがなされている（先行技術文献１）。
【先行技術文献】
【特許文献】
【０００３】
【特許文献１】  特開２０１１−１９４６６号公報
【発明の概要】
【発明が解決しようとする課題】
【０００４】  しかしながら、このような袋状の苗床は設置の作業性がよく、また土壌に飛散がなくて植物の育成に好適であるが、これらを複数用いる時には、整列した苗床同士の隙間から雑草が生えてくるとか、そのような隙間に雨水がたまるといった全面緑化に支障が出てきた。よって、苗床同士を重ねることを考えたが、苗床には土壌が収納されているので苗床の周辺は苗床ごとにバラバラな厚みになってしまい上手く重ならないという欠点がある。【０００５】  一般的にこうした緑化の場合は、土の上に一度防草シートを貼り、その上から緑化用の袋なり防草シートに直接穴を開けるなりしてから植物を植えていた。しかし、その場合２度手間になりコストがかかるとか、開けた穴から草が生えるという欠点が見られた。しかし、この苗床は従来の緑化用袋に鰭部を付けることにより、その問題を解決し、手間とコストを抑えることに成功した。
【課題を解決するための手段】
【０００６】  本発明は、土壌を収納した透水性、通気性および耐候性を有する不織布からなり、表面に苗植え用の穴を有したほぼ四角形状の袋部と、その袋部の隣接する少なくとも２辺に設けられた防草性の布からなる鰭部とを有しているものである。【０００７】  本発明は、前記苗植え用の穴には、ゲル状物質又はファスナーからなる閉塞手段を有するものである。【０００８】  本発明は、前記苗床は隣接する苗床と連結するための接着剤又はファスナーを前記鰭部を有する前記袋部端縁近傍に有するものである。【０００９】  本発明は、前記苗床の鰭部には除草成分を有する接着剤が塗布するものである。
【発明の効果】
【００１０】  このように鰭部を付けることで防草効果が高い苗床が製造することができ、さらに鰭部を隣接する苗床が踏みつけるように重ねていけば苗床はきれいに整列し、しかも苗床の隙間は鰭部で塞ぐことができる。
【図面の簡単な説明】
【００１１】
【図１】本発明の平面図である。
【図２】本発明の施工例の平面図である。
【図３】本発明実施例の斜視断面図である。
【図４】本発明連結用ファスナー利用例の平面図である。
【発明を実施するための形態】
【００１２】  本発明においては、土壌を収納した透水性、通気性および耐候性を有する、ポリプロピレン、ガラス繊維などからなる不織布の袋状の苗床に、表面に苗植え用の穴を設け、その苗床の少なくとも２辺に鰭のような防草手段を設けたものである。
【実施例】
【００１３】  図１は本発明の実施例の袋状の苗床の表面図である。この図において、苗床１は、土壌２（図３参照）を収納した透水性、通気性および耐候性を有する不織布からなる袋状の苗床である。また土壌２としては、例えば黒土、鹿沼土、バーク、肥料その他の混合物であって、苗床内で苗５（図３参照）が根を張り育成させるのが目的なので、袋の外の土壌に根を張らせる従来の緑化事業のような肥料のみを入れるものではない。【００１４】  袋状の苗床１の不織布は、例えばポリプロピレン多層スパンバンドからなるが、他にもアラミド繊維、ガラス繊維、セルロース繊維、ナイロン繊維、ビニロン繊維、ポリエステル繊維、ポリオレフィン繊維、レーヨン繊維などを用いることが出来る。これらの材質を用いるときの条件は、苗５の育成に必要な水分と、空気が生地を透過することのほか、耐候性が必要で、例えば日本国内の通常の天候管理下で１０年間腐敗しないことが望ましい。これは苗床１があくまで地面や屋上と独立して苗５の育成を行うからである。腐敗しない１０年間というのはあくまでも目安で、上述したポリプロピレン不織布では１５年以上の実績を持つし、本発明では以下の説明でも理解されるように、苗５と苗床１をまとめて新規なものに交換できるので、もっと短期間となっても良いが、耐候性は必要である。また緑化施工する建造物が耐火性を維持することが要求される場合があるが、この場合には苗床１は、建造物の耐火性を損なわないようにする必要がある。この場合には、不織布の材料としてガラス繊維の含有量を高くし、例えば９０％以上がガラス繊維としてスパンバンド加工で不織布を形成するのがよい。【００１５】  図１の苗床１は例えば幅５０ｃｍ長さ５０ｃｍの不織布と幅７０ｃｍ長さ７０センチの不織布を重ねて、縫い目４のように周縁をミシンで二重に縫ったものである。また、幅７０ｃｍ長さ１４０センチの不織布を半分に折り、縫い目の形が５０ｃｍの正方形になるように、かつ不織布の１つの頂点と縫い目の１つの頂点とが一致するように縫ってもよい。他にも、四角く縫った植栽部１１に鰭部１２を後から縫いつける方法もある。袋状の苗床１は土壌２を入れてからミシン縫いして密閉袋状に形成しても良いし、裏面に専用の口を付けても良い。【００１６】  図２は図１の苗床を施工する場合の１例である。１枚目の鰭部に次の苗床の土壌が入った部分が重なるようにし、次の苗床も同様にしていくということの繰り返しを行う。この時に土壌の入った植栽部が鰭部に隠れないように置くことがポイントである。瓦をイメージしたような重ね方と言った方が想像しやすいかもしれない。そうすると、植栽部が多くなり緑地面積が広くなる。ただし、瓦のように波打った固いものとは違うのである程度の自由が利くのも設置の際の利点である。【００１７】  ここで注意すべき点は、鰭部が２辺の方が良いという点である。この鰭部が１辺や３辺、４辺だった場合、上記で述べたような瓦の様な組み合わせができないのである。１辺なら重なり部分が少なく、草抑えの意味をもたなくなり、逆に３辺、４辺なら草は抑えられるが植栽部と隣の植栽部との間隔が空いてしまうことになる。そのために、１番良いとするのが２辺に鰭部が付いている状態である。た��し、これは並べた時の形が一般的な四角い場合なので、これが一直線に並べる場合だと１辺や３辺でも良い場合もある。施工現場に合わせて鰭部を増やす、減らすは自由に行えば良い。【００１８】  また、鰭部を土壌が入った部分で押さえることで苗床の下から生えてくる雑草を抑えることができ、なおかつ苗床自体の固定にもなる。この場合、鰭部が短すぎると雑草が生えてくる可能性があるのである程度の長さが必要となる。一般的に草を抑える防草シートや草の根を伸ばさせない防根シート等は重ね部分が２０センチ程度とされている。このことから、鰭部は２０センチ程度で良いと思われる。しかし、雑草にも数多くあるので現場に応じて短くて済むものなら鰭部を短く、長いものが必要なら鰭部を長くすれば良い。【００１９】  図３のように穴３に差し込む苗５としては、根の部分に発芽土がついたまま差し込むものなどでよいが、いわゆる多肉植物であれば必要な土壌量が他の樹木などに比較して少なくて済むので好ましい。その多肉植物とはサボテン科、アロエ科、ハマミズナ科、ベンケイソウ科などがあるが、緑化に適したものを選択すればよく、例えばベンケイソウ科で常緑のもの、品種登録されたもので具体的に例示すればトットリフジタ１号などが好ましい。【００２０】  袋状の苗床１に設けた穴３の閉塞手段としてファスナー（滑り式留金具）とするものである。スライダーが一つのファスナーは一般的なものであり、現在では様々な場所で簡単に更には安価で手に入れることができ、縫製も簡単である。そのファスナーは金属ファスナー、コイルファスナー（樹脂ファスナー）、プラスティックファスナーなどが利用できるが、耐候性や、中に充填されたものが土壌２であることを考慮すると樹脂製のファスナーが好ましく、金属ファスナーの場合は腐食し難い材質や表面処理を施すことが好ましい。【００２１】  一般的にファスナーは一つのスライダーしかついていないので、苗５の茎がファスナーと上止との間に位置できるようにファスナーの位置を配慮したほうが良い。このようにファスナーを使うことで苗５の茎を締め付けることなく穴３を閉塞することが出来、茎の成長に応じてファスナーの開口を広げることが出来るが、更にはそのファスナーのスライダーの滑り具合によっては、茎の成長でスライダーが後退し、自動的に開口の大きさが変えられることにもなる。この場合使用するのは、スライダーの引手を持たなくても開閉するノンロックタイプの自由スライダーが好ましい。【００２２】また、ファスナーは通常は上止と下止が付いており、スライダーが外れないようにされているが、これは特に必要あるわけではなく、付いていなくてもよい。しかし、その場合にはファスナーの両端をミシン等で縫い、止め部を作りスライダーがファスナーから外れないようにする必要がある。【００２３】  苗床１を図２のように連続させる場合、接着剤又はファスナーを利用すると良い。この接着剤には雑草を抑制する成分が含まれているとより好ましい。その成分とは、強酸性の成分である。また、昔から雑草の抑制に使用される銅の成分を利用しても良い。銅を直接接着剤に入れることは難しいので、銅イオンを混ぜることで同様の効果があると思われる。使用方法は、鰭部全体に塗���方法もあるが、基本的には鰭部の周縁部に塗ることで効果は十分に得られる。他にも図４のように、ファスナーを使うとより効果的に連結させることができる。この場合には、一般的に洋服の前面に使用する箱が付いた開製品を使用する。この開製品のファスナーは下止が付いていないので、両サイドのエレメントが別々になる。このことを利用し、苗床１の植栽部１１の隣り合う２辺にエレメント部Ａ６１を、もう２辺にエレメント部Ｂ６２を付け、それを異なる苗床のエレメント部Ａ６１とエレメント部Ｂ６２を繋ぐことで連続させた苗床が完成する。また、面ファスナー（いわゆるマジックテープ）を重なる部分に使用して連結の固定方法として使うこともできる。【００２４】  上述したような袋状の苗床１は、苗床が屋根又は屋上に苗床袋の全面が密着固定しないように保持することで屋上緑化を達成できるので、建造物の屋上面を直接いためることもなく、無理な荷重を防ぐことも可能となる。そして屋上面を吹き直しなどするときには苗床の一次撤去も容易である。この場合には、屋上の周縁にある突出梁が丈夫（堅牢）であることを考慮してこれに吊具を設ける。吊具は、フック上の係合具を突出梁に固定し、この係合具にワイヤーを張って、そのワイヤーに袋状の苗床１を係止するなどして構成すればよい。【００２５】  また予め側壁に設けられた凹部に表面が側面開放部に向くように袋状の苗床１をはめ込み、係止で保持することでガードレールやトンネル、あるいは建物の側壁などの壁面緑化を行うことが出来る。凹部は上方に開口したレール状のものでも良い。レールに対しては係止部は縫い目から先の縫い代部分が相当する場合もある。これらの場合も壁面やガードレールの荷重負担を軽減し、植物の育成は阻害されることもなく、雑草のきわめて少ない均質な緑化が行うことができる。
【産業上の利用可能性】
【００２６】  本発明によれば、より雑草の生えにくく、緑化の寿命の長い、しかも建造物の過重負担の少ない、屋上緑化や壁面緑化、法面緑化に有用な苗床を少しでも安価で提供できる。
【符号の説明】
【００２７】１    苗床
１１  植栽部
１２  鰭部
２    土壌
３    穴
４    縫い目
５    苗
６１  ファスナーエレメント部Ａ
６２  ファスナーエレメント部Ｂ
【図１】
2013220095.tif 000003
【図２】
2013220095.tif 000004
【図３】
2013220095.tif 000005
【図４】
2013220095.tif 000006